(57)【特許請求の範囲】
【請求項１】
乾式のサイディング材(１)を長手方向及び幅方向に隣接して固定するに際し、サイディング材(１)の長手方向端縁部(1a)が位置する躯体(６)に、係止部(2da)が形成されている嵌合溝(2d)が表面側に設けられているウエブ部(2c)と該ウエブ部(2c)の表面側にあって該ウエブ部(2c)との境界部で該ウエブ部(2c)に対して可撓性を有する表面側フランジ部(2a)と該ウエブ部(2c)の裏面側にあって建築物の躯体(６)に固定される裏面側フランジ部(2b)とより成る横断面略Ｈ状を成す長尺状の連結材(２)を該裏面側フランジ部(2b)で固定具(７)によって固定し、該連結材(２)のウエブ部(2c)を挾んだ一方の側の表面側フランジ部(2a)を表側に屈曲して固定すべき一方の側のサイディング材(１)の長手方向端縁部(1a)を押し込んで該サイディング材(１)に形成されている固定部(1e)を固定具(４)により躯体(６)に固定したら該サイディング材(１)の幅方向について該サイディング材(１)の一方の幅方向端縁部(1b)に形成されている係合部(1c)に次に固定すべきサイディング材(１)の他方の幅方向端縁部(1b)に形成されている係合部(1d)を係合して該サイディング材(１)に形成されている固定部(1e)を固定具(４)により躯体(６)に固定する作業を繰返し行い、また前記連結材(２)のウエブ部(2c)を挾んだ他方の側の表面側フランジ部(2a)を表側に屈曲して固定すべき他方の側のサイディング材(１)の長手方向端縁部(1a)を押し込んで該サイディング材(１)に形成されている固定部(1e)を固定具(４)により躯体(６)に固定したら該サイディング材(１)の幅方向について該サイディング材(１)の一方の幅方向端縁部(1b)に形成されている係合部(1c)に次に固定すべきサイディング材(１)の他方の幅方向端縁部(1b)に形成されている係合部(1d)を係合して該サイディング材(１)に形成されている固定部(1e)を固定具(４)により躯体(６)に固定する作業を繰返し行い、しかる後に前記連結材(２)の屈曲した該表面側フランジ部(2a)の屈曲状態を元の状態に戻して表面側と裏面側とのフランジ部(2a，2b)によって各サイディング材(１)の長手方向端縁部(1a)を挾持した後、前記連結材(２)の嵌合溝(2d)の横断面形状に略合致する横断面形状に形成されており前記係止部(2da)に係止される係止部(3a)が形成されている長尺状の嵌合片(３)を、連結材(２)の嵌合溝(2d)の全長に亘って嵌合して横断面略Ｈ状に連結材(２)の形状を維持させることを特徴とする建築物の壁面の施工方法。
【請求項２】
躯体(６)として、既設の壁面をそのまま使用する請求項１に記載の建築物の壁面の施工方法。
【請求項３】
連結材(２)として、裏面側フランジ部(2b)の基端部側にサイディング材(１)の長手方向端縁部(1a)が当接するストッパ(2e)が形成されているものを使用する請求項１又は２に記載の建築物の壁面の施工方法。
【発明の詳細な説明】
【０００１】
【発明の属する技術分野】
本発明は、乾式のサイディング材を躯体に固定して建築物の壁面を施工するに際し、サイディング材の長手方向に隣接するサイディング材同士の接続を、効率良くしかも意匠性に優れた状態に施工することのできるばかりでなく、補修を行う場合などにサイディング材を痛めることもない建築物の壁面の施工方法に関するものである。
【０００２】
【従来の技術】
建築物の壁面を構成するための乾式のサイディング材は、樋状の金属板の樋内に合成樹脂発泡体が充填されており必要に応じて裏面がアルミニウムをラミネートされた紙や金属板等の裏面材により被覆されている金属サイディング材や、セメント，コンクリート等より製作される窯業サイディング材があり、それぞれ所定の長さに形成されているものが利用されている。
【０００３】
このようなサイディング材は、通常長手方向と平行な幅方向両端縁部に、隣接して固定されるサイディング材の幅方向端縁同士を互いに係合する係合部が形成されていて、その一方の係合部には建築物の躯体に釘やビス等で固定される固定部が設けられている。そして、サイディング材をその幅方向に固定するには、先に固定されているサイディング材の一方の係合部に次に固定されるサイディング材の他方の係合部を係合した後、柱，間柱，胴縁や既設の壁面を改修する場合には既設の壁面材上に直接又は既設の壁面材上に新たに固定した胴縁等の躯体にタッピンビス等の固定具により固定する作業を順次繰返し行うのである。
【０００４】
また、サイディング材を長手方向に接続して施工するには、サイディング材の長手方向の端縁同士を単に突き合わせただけの状態では外観が悪いばかりでなく、この切断面から雨水が侵入してサイディング材が金属サイディング材の場合には金属板や合成樹脂発泡体が腐食する現象が発生するので、サイディング材が金属サイディング材であっても窯業サイディング材であっても、長手方向に隣接するサイディング材の長手方向端縁部同士間にその長手方向端縁を隠蔽する連結材を使用していた。
【０００５】
この連結材としては、一般に固定部材とキャップとから成る構成のもの、例えば図５に示す如く躯体６に釘やタッピンビスによって固定される固定部材2a'が、その幅方向中央部の外方に突出せしめられた係合片2aa'の幅方向外面側が断面鋸刃状に形成されたものであり、またサイディング材１の長手方向端縁部1aを覆うキャップ2b'が、その裏面に固定部材2a'の係合片2aa'と係合する係合片2ba'を断面鋸刃状を対向させた形状に形成されている連結材２'を例示することができる。
【０００６】
このような従来の連結材２'を使用してサイディング材１をその長手方向に接続するには、先ずサイディング材１の長手方向端縁部1aが位置する躯体６に予め固定部材2a'を釘やタッピンビス等の固定具７により固定する。そして、この固定部材2a'の係合片2aa'を挾んだ両側でそれぞれサイディング材１をその長手方向端縁部1aが前記固定部材2a'の係合片2aa'に近接する状態に配置し、その各サイディング材１において一方の幅方向端縁部に延設されている固定部を釘やタッピンビス等の固定具４により躯体６に固定し、この既固定のサイディング材１の幅方向に次に固定するサイディング材１をその長手方向端縁部1aが前記固定部材2a'の係合片2aa'に近接する状態に配置すると共に他方の幅方向端縁部に形成されている係合部を既固定のサイディング材１の一方の幅方向端縁部に形成されている係合部に係合させた後、この次に固定するサイディング材１の一方の幅方向端縁部に形成されている固定部を釘やタッピンビス等の固定具４により躯体６に固定する。この作業を各サイディング材１の幅方向に繰返し行って後、キャップ2b'をその裏面の係合片2ba'を既に固定されている固定部材2a'の係合片2aa'に外方から押し込んで係合することによって、サイディング材１をその長手方向端縁部1aを隠蔽するように接続していたのである。
【０００７】
しかしながら、前記した如き従来の連結材２'を使用してサイディング材１を長手方向に接続する方法では、固定部材2a'に形成されている断面鋸刃状の係合片2aa'にキャップ2b'に形成された断面鋸刃状の係合片2ba'を係合するので、固定部材2a'にキャップ2b'を一度係合させると固定部材2a'とキャップ2b'とを分離させることができなくなって微調整や、施工後に或るサイディング材１のみを交換したい場合に固定部材2a'とキャップ2b'との両者を交換しなければならないため、不経済であるばかりでなく、固定部材2a'を交換することは即ち全作業を最初からやり直すことになるので作業性が著しく悪いという欠点があった。
【０００８】
【発明が解決しようとする課題】
本発明は、上記従来技術の欠点を解消し、乾式のサイディング材を躯体に固定して建築物の壁面を施工するに際し、サイディング材の長手方向に隣接するサイディング材同士の接続を効率良く、しかも意匠性に優れた状態に施工することができるばかりでなく、補修や微調整を行う場合などにサイディング材を痛めることなく全作業を最初からやり直す必要がない建築物の壁面の施工方法を提供することを課題とする。
【０００９】
【課題を解決するための手段】
本発明者らは、かかる課題を解決すべく鋭意検討した結果、乾式のサイディング材を長手方向及び幅方向に隣接して固定するに際し、サイディング材の長手方向端縁部が位置する躯体に、係止部が形成されている嵌合溝が表面側に設けられているウエブ部と該ウエブ部の表面側にあって該ウエブ部との境界部で該ウエブ部に対して可撓性を有する表面側フランジ部と該ウエブ部の裏面側にあって建築物の躯体に固定される裏面側フランジ部とより成る横断面略Ｈ状を成す長尺状の連結材を該裏面側フランジ部で固定具によって固定し、該連結材のウエブ部を挾んだ一方の側の表面側フランジ部を表側に屈曲して固定すべき一方の側のサイディング材の長手方向端縁部を押し込んで該サイディング材に形成されている固定部を固定具により躯体に固定したら該サイディング材の幅方向について該サイディング材の一方の幅方向端縁部に形成されている係合部に次に固定すべきサイディング材の他方の幅方向端縁部に形成されている係合部を係合して該サイディング材に形成されている固定部を固定具により躯体に固定する作業を繰返し行い、また前記連結材のウエブ部を挾んだ他方の側の表面側フランジ部を表側に屈曲して固定すべき他方の側のサイディング材の長手方向端縁部を押し込んで該サイディング材に形成されている固定部を固定具により躯体に固定したら該サイディング材の幅方向について該サイディング材の一方の幅方向端縁部に形成されている係合部に次に固定すべきサイディング材の他方の幅方向端縁部に形成されている係合部を係合して該サイディング材に形成されている固定部を固定具により躯体に固定する作業を繰返し行い、しかる後に前記連結材の屈曲した該表面側フランジ部の屈曲状態を元の状態に戻して表面側と裏面側とのフランジ部によって各サイディング材の長手方向端縁部を挾持した後、前記連結材の嵌合溝の横断面形状に略合致する横断面形状に形成されており前記係止部に係止される係止部が形成されている長尺状の嵌合片を、連結材の嵌合溝の全長に亘って嵌合して横断面略Ｈ状に連結材の形状を維持させれば、意匠性に優れ且つサイディング材の長手方向への接続が強固な壁面構造を得ることができるばかりでなく、補修や微調整を行う場合などに嵌合片を取り外すだけでサイディング材を痛めることなく全作業を最初からやり直す必要がないと共に効率良く施工することができることを究明して本発明を完成したのである。
【００１０】
そして、本発明に係る建築物の壁面の施工方法において、躯体として既設の壁面をそのまま使用するリフォームとしての建築物の壁面の施工も可能であるので好ましく、また連結材として裏面側フランジ部の基端部側にサイディング材の長手方向端縁部が当接するストッパが形成されているものを使用すると、サイディング材の長手方向端縁部を挾持する際にサイディング材の位置決めが容易でしかも表面側フランジ部を表側に屈曲する作業を容易に且つ確実に行うことができて好ましいことも究明したのである。
【００１１】
【発明の実施の形態】
以下、図面により本発明に係る建築物の壁面の施工方法について詳細に説明する。
図１は本発明に係る建築物の壁面の施工方法を実施してサイディング材を横張り固定した建築物の壁面構造の１例を示す斜視説明図、図２は図１における接続部の横断面拡大説明図、図３は図２におけるＡ−Ａ線断面図、図４は本発明方法で使用される連結材の１例を示す拡大斜視説明図である。
【００１２】
図面中、１は建築物の壁面を構成するための乾式のサイディング材であり、樋状の金属板の樋内に合成樹脂発泡体が充填されており必要に応じて裏面にアルミニウムをラミネートされた紙や金属板等の裏面材により被覆されている金属サイディング材や、セメント，コンクリート等より成形されている窯業サイディング材等、従来より一般に使用されている乾式のサイディング材を使用することができる。この乾式のサイディング材１には、通常、長手方向と平行な両側の幅方向端縁部1b，1bのうち、一方の幅方向端縁部1bに凹部が形成された雌型の係合部1cが、また他方の幅方向端縁部1bに該係合部1cに係合する雄型の係合部1dがそれぞれ形成されており、更にこれら係合部1c又は1dのいずれか一方の端縁側が外方に突出せしめられて固定部1eが形成されている（図３に示す実施例の場合には、一方の幅方向端縁部1bに雌型の係合部1cが形成されていると共にこの係合部1cの更に端縁側に固定部1eが延設されており、他方の幅方向端縁部1bに雄型の係合部1dが形成されている）。
【００１３】
２は係止部2daが形成されている嵌合溝2dがその表面側に設けられているウエブ部2cと、このウエブ部2cの表面側にあってウエブ部2cとの境界部でウエブ部2cに対して可撓性を有する表面側フランジ部2aと、ウエブ部2cの裏面側にあって建築物の躯体６に固定される裏面側フランジ部2bとより成るゴムや合成樹脂等より成る横断面略Ｈ状を成す長尺状の連結材であり、ウエブ部2cの表面側に形成されている嵌合溝2dとしては、図２に示す如く断面略Ｖ字状や図４に示す如く断面略矩形状等種々の形状を採用することができる。
【００１４】
このような長尺状の連結材２の表面側フランジ部2aと裏面側フランジ部2bとにより、長手方向に隣接して固定される前記サイディング材１，１がその長手方向端縁部1a，1aの表裏面をそれぞれ挾持されて接続される。
【００１５】
３は連結材２の嵌合溝2dの横断面形状に略合致する横断面形状に形成されており連結材２の嵌合溝2dの係止部2daに係止される係止部3aが形成されている長尺状の嵌合片であり、連結材２の嵌合溝2dに嵌合されると連結材２が横断面略Ｈ状の形状が維持せしめられる。すなわち、嵌合片３が連結材２の嵌合溝2d内に嵌入されて嵌合片３の係止部3aが連結材２の嵌合溝2dの係止部2daに係止されると、連結材２のウエブ部2cの表面側にあってウエブ部2cとの境界部でウエブ部2cに対して可撓性を有する表面側フランジ部2aの裏面がサイディング材１の長手方向端縁部1aの表面に当接した状態でその可撓性を阻害されて横断面略Ｈ状に連結材２の形状が維持されるのである。
【００１６】
次に、前述した如き構成された本発明に係る建築物の壁面の施工方法について説明する。
【００１７】
前述した如き部材を用いて本発明に係る建築物の壁面の施工方法を実施するには、先ず、乾式のサイディング材１の長手方向端縁部1aが位置する躯体６の所定の位置に、横断面略Ｈ状を成す長尺状の連結材２をその裏面側フランジ部2bで固定具７によって固定する。この長尺状の連結材２は、後述する如く躯体６に固定具４によって固定されるサイディング材１の長手方向端縁部1aを挾持するものであるので、躯体６に強固に固定する必要は無く、前記所定の位置から簡単にズレない程度に躯体６に固定すればよい。またこの躯体６は、新たに壁面を施工する場合には柱，間柱，胴縁であり、また既設の壁面を改修する場合には既設の壁面をそのまま使用することができる。
【００１８】
そして、連結材２のウエブ部2cを挾んで一方の側について、表面側フランジ部2aを表側に屈曲して、固定すべきサイディング材１の長手方向端縁部1aを押し込むと共にそのサイディング材１に形成されている固定部1eを固定具４により躯体６に固定したらそのサイディング材１の幅方向についてそのサイディング材１の一方の幅方向端縁部1bに形成されている係合部1cに次に固定すべきサイディング材１の他方の幅方向端縁部1bに形成されている係合部1dを係合してそのサイディング材１に形成されている固定部1eを固定具４により躯体６に固定する作業を繰返し行う。
【００１９】
また、連結材２のウエブ部2cを挾んだ他方の側についても、表面側フランジ部2aを表側に屈曲して固定すべき他方の側のサイディング材１の長手方向端縁部1aを押し込んでそのサイディング材１に形成されている固定部1eを固定具４により躯体６に固定したらそのサイディング材１の幅方向についてそのサイディング材１の一方の幅方向端縁部1bに形成されている係合部1cに次に固定すべきサイディング材１の他方の幅方向端縁部1bに形成されている係合部1dを係合してそのサイディング材１に形成されている固定部1eを固定具４により躯体６に固定する作業を繰返し行う。
【００２０】
しかる後、連結材２の屈曲した表面側フランジ部2aの屈曲状態を元の状態に戻して表面側と裏面側とのフランジ部2a，2bによって各サイディング材１の長手方向端縁部1aを挾持させた後、連結材２の嵌合溝2dの横断面形状に略合致する横断面形状に形成されており連結材２の嵌合溝2dの係止部2daに係止される係止部3aが形成されている長尺状の嵌合片３を、連結材２の嵌合溝2dの全長に亘って嵌合して横断面略Ｈ状に連結材２の形状を維持させる。
【００２１】
この際、連結材２として、裏面側フランジ部2bの基端部側にサイディング材１の長手方向端縁部1aを係止するストッパ2eが形成されているものを使用すると、サイディング材１の長手方向端縁部1aの位置決めが容易で、しかもサイディング材１の長手方向端縁部1aが連結材２のウエブ部2cから離れて位置するので、表面側フランジ部2aの屈曲を連結材２の素材に大きな内部応力を作用させること無くより確実に行うことができる。
【００２２】
このような作業において、サイディング材１の幅方向への接続は、幅方向端縁部1b，1bに形成されている係合部1c，1dの形状によって種々の態様があり、例えば幅方向端縁部1b，1b同士を当接した状態に単に突き合わせた態様や、また幅方向端縁部1b，1b同士を間隔を隔てた状態に突き合わせてこの隙間にコーキング材を充填した態様を挙げることができる他、施工効率を考慮してコーキング材の代わりに以下に説明する如き目地材を使用した態様を示すこともできる。
【００２３】
即ち、例えば図３に示す如く、サイディング材１の幅方向端縁部1bに形成されている係合部1c，1dの断面形状がそれぞれ表面側が側方に突出して裏面側に凹部が形成されていて、サイディング材１，１を幅方向に接続した際には幅方向端縁部1b，1bの凹部を含む間隔を塞ぐために弾性を有する目地材５を嵌合するものである。この目地材５としては、その断面形状がサイディング材１の幅方向端縁部1bに形成されている係合部1c，1dの表面側の突出部間に嵌合される狭幅部分から段差を介して凹部間に嵌合される広幅部分が形成されており、ゴムや合成樹脂等よりなる弾性を有する中空状に形成されている態様を示すことができる。
【００２４】
【発明の効果】
以上に詳述した如く本発明に係る建築物の壁面の施工方法では、長手方向に隣接するサイディング材の接続部が、横断面略Ｈ状を成しウエブ部の表面に嵌合溝が形成されていると共にこの嵌合溝に係止部が形成されている長尺状の連結材の表面側フランジ部と裏面側フランジ部とによりサイディング材の長手方向端縁部が挾持されており、前記連結材の嵌合溝の断面形状に略合致する断面形状に形成されている嵌合片が連結材の嵌合溝に嵌合されていて、連結材の形状が維持されているので、連結材によってサイディング材の長手方向端縁部に強固に保持されており、しかもサイディング材の長手方向端縁部表面に連結材の表面側のフランジ部が密着して意匠効果が高い。
【００２５】
そして、本発明に係る建築物の壁面の施工方法では、躯体の所定の位置に配置した連結材の表面側のフランジ部を表側に屈曲して、固定すべきサイディング材の長手方向端縁部を押し込んで固定した後、屈曲した表面側のフランジ部の屈曲状態を元の横断面略Ｈ状に戻す簡単な作業によって表面側フランジ部と裏面側フランジ部とによりサイディング材の長手方向端縁部を挾持でき、長手方向に隣接するサイディング材同士の接続を効率良く行うことができる。
【００２６】
このような本発明に係る建築物の壁面の施工方法は、新たに壁面を施工する場合及び既設の壁面をそのまま使用してその外面側に改修用のサイディング材を固定して改修壁面を施工する場合のいずれにも採用することができる。
【００２７】
そして、この本発明に係る建築物の壁面の施工方法により壁面を施工すると、嵌合片を連結材の嵌合溝から抜き取るだけで、サイディング材の取付位置の微調整や、施工後に或るサイディング材のみを交換することも容易に行うことができるのである。
【００２８】
このように種々の効果を奏する本発明に係る建築物の壁面の施工方法は、その工業的価値の非常に大きなものである。
【図面の簡単な説明】
【図１】  本発明に係る建築物の壁面の施工方法を実施してサイディング材を横張り固定した建築物の壁面構造の１例を示す斜視説明図である。
【図２】  図１における接続部の横断面拡大説明図である。
【図３】  図２におけるＡ−Ａ線断面図である。
【図４】  本発明方法で使用される連結材の１例を示す拡大斜視説明図である。
【図５】  従来のキャップと固定部材とから成る連結材によりサイディング材をその長手方向に接続した状態の接続部の横断面拡大説明図である。
【符号の説明】
１  乾式のサイディング材
1a  長手方向端縁部
1b  幅方向端縁部
1c  係合部
1d  係合部
1e  固定部
２  連結材
2a  表面側フランジ部
2b  裏面側フランジ部
2c  ウエブ部
2d  嵌合溝
2da  係止部
2e  ストッパ
２'  従来の連結材
2a'  固定部材
2aa'  係合片
2b'  キャップ
2ba'  係合片
３  嵌合片
3a  係止部
４  固定具
５  目地材
６  躯体
７  固定具
【図１】
0003988845.tif 000002
【図２】
0003988845.tif 000003
【図３】
0003988845.tif 000004
【図４】
0003988845.tif 000005
【図５】
0003988845.tif 000006